(57)【特許請求の範囲】
【請求項１】
導光板と、
前記導光板内に配置され、少なくとも一つの傾斜面を有する溝と、
前記導光板の溝に配置される光源モジュールと、
前記光源モジュールと導光板との間に配置されるストッパーと、
前記導光板の下部に形成され、前記光源モジュールの光源の間に配置されるストッパー締結部と、
前記ストッパーの下部に形成されて、前記ストッパー締結部と結合する結合部材と、
を含み、
前記溝の断面積は、前記ストッパーの断面積よりも大きい、照明システム。
【請求項２】
前記ストッパーは、前記導光板の溝内に配置され、前記溝の側面、前記溝の底面及び前記光源モジュールのうち少なくとも一方に接触する、請求項１に記載の照明システム。
【請求項３】
前記ストッパーは、前記導光板の溝内に配置され、前記溝の側面から第１間隔を有し、前記溝の底面から第２間隔を有し、前記光源モジュールから第３間隔を有する、請求項１に記載の照明システム。
【請求項４】
前記第１間隔は、前記第２、第３間隔よりも大きく、前記第３間隔は、前記第１、第２間隔よりも小さい、請求項３に記載の照明システム。
【請求項５】
前記ストッパーは、前記導光板の溝の形状によって可変し、射出成形可能な高分子樹脂からなる、請求項１に記載の照明システム。
【請求項６】
前記ストッパーは、接着剤により前記光源モジュールの基板に接着される、請求項１に記載の照明システム。
【請求項７】
前記ストッパーは、接着剤により前記導光板の溝の底面に接着される、請求項１に記載の照明システム。
【請求項８】
前記ストッパーは、第１接着剤により前記光源モジュールの基板に接着され、かつ第２接着剤により前記導光板の溝の底面に接着される、請求項１に記載の照明システム。
【請求項９】
前記第１接着剤と第２接着剤は、互いに異なる物質である、請求項８に記載の照明システム。
【請求項１０】
前記導光板の溝の側面及び溝の底面のうち少なくとも一方には、リフレクタが配置される、請求項１に記載の照明システム。
【請求項１１】
前記ストッパー締結部は、前記導光板の溝に隣接して配置される、請求項１に記載の照明システム。
【請求項１２】
前記ストッパー締結部は、前記導光板の下部から突出する突出物、または前記導光板の下部に形成される溝である、請求項１または１１に記載の照明システム。
【請求項１３】
前記ストッパー締結部は、前記導光板と異なる物質からなる、請求項１、１１及び１２のいずれか１項に記載の照明システム。
【請求項１４】
前記ストッパー締結部の側面と前記導光板の溝の側面とは、同一の平面上に位置する、請求項１、１１乃至１３のいずれか１項に記載の照明システム。
【請求項１５】
前記結合部材は、
前記ストッパー及び光源モジュールを支持するボディー部と、
前記ボディー部から突出して前記ストッパー締結部に結合する結合部と、
を含む、請求項１に記載の照明システム。
【請求項１６】
前記結合部は、
前記ボディー部から第１方向に突出する第１セグメントと、
前記第１セグメントの先端から、前記第１方向と垂直な第２方向に折り曲げられた第２セグメントと、
を含む、請求項１５に記載の照明システム。
【請求項１７】
前記結合部は少なくとも一つであり、前記一つの結合部は前記一つのストッパー締結部に一対一対応して結合する、請求項１５に記載の照明システム。
【請求項１８】
前記結合部は複数個であり、前記２個の結合部が対として、前記互いに隣接するストッパー締結部の間に配置されて結合する、請求項１５に記載の照明システム。
【請求項１９】
前記結合部は、
前記ボディー部から突出する第１セグメントと、
前記第１セグメントの先端から延在し、前記第１セグメントに比べてより大きい面積を有する第２セグメントと、
を含む、請求項１５に記載の照明システム。
【請求項２０】
前記ストッパー締結部は、前記結合部材と同一の厚さを有する、請求項１に記載の照明システム。
【請求項２１】
前記ストッパー締結部は、前記結合部材に比べて大きい厚さを有する、請求項１に記載の照明システム。
【請求項２２】
前記第１セグメントの厚さは、前記ボディー部の厚さよりも大きく、前記第２セグメントの厚さと同一である、請求項１６に記載の照明システム。
【請求項２３】
前記第１セグメントの厚さは、前記ボディー部及び前記第２セグメントの厚さよりも大きく、前記第２セグメントの厚さは、前記ボディー部の厚さと同一である、請求項１６に記載の照明システム。
【請求項２４】
前記第１及び第２セグメントの平面形状は、前記ストッパー締結部の平面形状と同一である、請求項１９に記載の照明システム。
【請求項２５】
前記ストッパーは、前記光源モジュールの基板の上部表面及び前記基板の側面の少なくとも一方に接着される、請求項６に記載の照明システム。
【請求項２６】
前記光源モジュールは、
基板と、
前記基板上に配置された少なくとも一つの光源と、
を含む、請求項１に記載の照明システム。
【請求項２７】
前記ストッパーは、前記光源の第１面と前記溝の前記少なくとも一つの傾斜面との間に配置され、前記光源の前記第１面は、前記溝の前記少なくとも一つの傾斜面と向い合う、請求項２６に記載の照明システム。
【発明の詳細な説明】
【技術分野】
【０００１】
本発明の実施例は、バックライトユニット及びそれを用いたディスプレイ装置に関する。
【背景技術】
【０００２】
一般に、大型ディスプレイ装置の代表には、ＬＣＤ（Ｌｉｑｕｉｄ  Ｃｒｙｓｔａｌ  Ｄｉｓｐｌａｙ）またはＰＤＰ（Ｐｌａｓｍａ  Ｄｉｓｐｌａｙ  Ｐａｎｅｌ）などがある。
【０００３】
自発光型のＰＤＰとは違い、ＬＣＤは、自体発光する発光素子を備えておらず、別のバックライトユニットが必須である。
【０００４】
ＬＣＤに用いられるバックライトユニットは、光源の位置によって、エッジ（ｅｄｇｅ）方式のバックライトユニットと直下方式のバックライトユニットとに区別される。エッジ方式は、ＬＣＤパネルの左右側面または上下側面に光源を配置し、導光板を用いて光を前面に均一に分散させるため、光の均一性がよく、パネルの超薄型化が可能である。
【０００５】
直下方式は、通常、２０インチ以上のディスプレイに用いられる技術で、パネルの下部に光源を複数個配置するから、エッジ方式に比べて優れた光効率を有し、よって、高輝度を要する大型ディスプレイに主に用いられる。
【０００６】
既存のエッジ方式や直下方式のバックライトユニットの光源には、ＣＣＦＬ（Ｃｏｌｄ  Ｃａｔｈｏｄｅ  Ｆｌｕｏｒｅｓｃｅｎｔ  Ｌａｍｐ）を用いてきた。
【０００７】
しかし、ＣＣＦＬを用いたバックライトユニットは、ＣＣＦＬに常に電源が印加されるから相当量の電力を消耗する、ＣＲＴに比べて約７０％レベルの色再現率を示す、水銀の添加により環境汚染を招く、といった欠点があった。
【０００８】
これを解消するための代替品として、現在、ＬＥＤ（Ｌｉｇｈｔ  Ｅｍｉｔｔｉｎｇ  Ｄｉｏｄｅ）を用いたバックライトユニットに関する研究が活発に行われている。
【０００９】
ＬＥＤをバックライトユニットに用いる場合、ＬＥＤアレイの部分的なオン／オフが可能なため、消耗電力を画期的に低減できる。なお、ＲＧＢ  ＬＥＤの場合、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）色再現範囲仕様の１００％を上回り、より鮮明な画質を消費者に提供することができる。
【発明の概要】
【発明が解決しようとする課題】
【００１０】
本発明の実施例は、光源モジュールを安定して固定させることができるバックライトユニット及びそれを用いたディスプレイ装置を提供する。
【課題を解決するための手段】
【００１１】
本発明の一実施例は、導光板と、前記導光板内に配置され、少なくとも一つの傾斜面を有する溝と、前記導光板の溝に配置された光源モジュールと、前記光源モジュールと前記導光板との間に配置されたストッパーとを備え、前記溝の断面積は、前記ストッパーの断面積よりも大きいことができる。
【００１２】
ここで、ストッパーは、導光板の溝内に配置され、溝の側面、溝の底面及び光源モジュールの少なくとも一方に接触することができる。
【００１３】
そして、ストッパーは、導光板の溝内に配置され、溝の側面から第１間隔を有し、溝の底面から第２間隔を有し、光源モジュールから第３間隔を有することができる。
【００１４】
ここで、第１間隔は、第２、第３間隔に比べて最も大きく、第３間隔は、第１、第２間隔に比べて最も小さいとよい。
【００１５】
なお、ストッパーは、接着剤により光源モジュールの基板に接着されてもよく、ストッパーは、光源モジュールの基板の上部表面及び基板の側面のうち少なくとも一方に接着されてもよい。
【００１６】
また、ストッパーは、接着剤により導光板の溝の底面に接着されてもよい。
【００１７】
また、ストッパーは、第１接着剤により光源モジュールの基板に接着され、且つ第２接着剤により導光板溝の底面に接着されてもよい。
【００１８】
ここで、第１接着剤と第２接着剤は、互いに異なる物質でよい。
【００１９】
そして、導光板の溝の側面及び溝の底面のうち少なくとも一方には、リフレクタが配置されてもよい。
【００２０】
また、ストッパーは、導光板の溝の形状によって可変し、射出成形可能な高分子樹脂からなり、例えば、不飽和ポリエステル、メチルメタクリレート、エチルメタクリレート、イソブチルメタクリレート、ノルマルブチルメタクリレート、アクリル酸、メタクリル酸、ヒドロキシエチルメタクリレート、ヒドロキシプロピルメタクリレート、ヒドロキシエチルアクリレート、アクリルアミド、エチルアクリレート、イソブチルアクリレート、ノルマルブチルアクリレートの少なくとも一つで形成できる。
【００２１】
また、導光板の溝は、相対する第１、第２側面を有し、溝の第１側面は、溝の底面に垂直であり、溝の第２側面は、前記溝の底面に対して傾斜するとよい。
【００２２】
また、導光板の溝は、相対する第１、第２側面を有し、溝の第１、第２側面は、溝の底面に対して傾斜しており、溝の第１側面と底面との傾斜角は、溝の第２側面と底面との傾斜角より小さくよい。
【００２３】
また、導光板の溝は、三角形の断面形状を有し、相対する第１、第２側面間の角度は、３０〜１２０°でよい。
【００２４】
そして、導光板溝の高さと導光板厚さとの比は、０．３〜０．７：１でよい。
【００２５】
他の実施例は、溝を有する導光板と、前記導光板の前記溝に配置された光源モジュールと、前記光源モジュールと前記導光板との間に配置されたストッパーとを備え、前記導光板は、下部にストッパー締結部が形成され、前記ストッパーは、下部に結合部材が配置されて、前記ストッパー締結部と結合することができる。
【００２６】
ここで、ストッパー締結部は、導光板の溝に隣接して配置されるとよく、ストッパー締結部は、光源モジュールの光源同士の間に対応して配置されるとよい。
【００２７】
また、ストッパー締結部は、導光板の下部から突出される突出物（ｐｒｏｊｅｃｔｉｏｎ）、または導光板の下部に形成される溝（ｈｏｌｌｏｗｎｅｓｓ）でよい。
【００２８】
また、ストッパー締結部は、円形、半球形、三角形、長方形、多角形のうち少なくとも一つの平面形状を有することができる。
【００２９】
そして、ストッパー締結部は、導光板と異なる物質からなってもよく、例えば、ＰＭＭＡ（Ｐｏｌｙｍｅｔｈｙｌｍｅｔｈａｃｒｙｌａｔｅ）、ＰＥＴ（ｐｏｌｙｅｔｈｙｌｅｎｅｔｅｒｅｐｈｔｈｌａｔｅ）、ＣＯＣ（Ｃｙｃｌｉｃ  Ｏｌｅｆｉｎ  Ｃｏｐｏｌｙｍｅｒｓ）、ＰＥＮ（ｐｏｌｙｅｔｈｙｌｅｎｅｎａｐｈｔｈａｌａｔｅ）、ＰＣ（Ｐｏｌｙｃａｒｂｏｎａｔｅ）、ＰＳ（Ｐｏｌｙｓｔｙｒｅｎｅ）、及びＭＳ（Ｍａｔｈａｃｙｌａｔｅ  ｓｔｙｒｅｎｅ）樹脂のいずれか一つにすればよい。
【００３０】
また、ストッパー締結部は、結合部材と同じ厚さを有してもよく、結合部材よりも大きい厚さを有してもよい。
【００３１】
また、ストッパー締結部の側面と導光板の溝の側面とは、同じ平面上に位置すればよい。
【００３２】
そして、結合部材は、ストッパー及び光源モジュールを支持するボディー部と、ボディー部から突出してストッパー締結部に結合する結合部とを備えることができる。
【００３３】
ここで、結合部は、ボディー部から第１方向に突出する第１セグメントと、第１セグメントの先端から、第１方向と垂直な第２方向に折り曲げられている第２セグメントとを有することができる。
【００３４】
ここで、第１セグメントの厚さは、ボディー部より厚く、第２セグメントと同一であってもよく、第１セグメントの厚さはボディー部及び第２セグメントより厚く、第２セグメントの厚さはボディー部と同一であってもよい。
【００３５】
また、結合部は、少なくとも一つであり、一つの結合部は一つのストッパー締結部に一対一対応して結合してもよく、結合部は複数個であり、二つの結合部が対として、互いに隣接するストッパー締結部の間に配置されて結合してもよい。
【００３６】
また、結合部は、ボディー部から突出する第１セグメントと、第１セグメントの先端から延在し、第１セグメントに比べてより大きい面積を有する第２セグメントとを有することができる。
そして、第１、第２セグメントの平面形状は、ストッパー締結部の平面形状と同一でよい。
【発明の効果】
【００３７】
以上、本発明の実施例によれば、導光板と光源モジュールとの間にストッパーを形成し、ストッパーを導光板に締結することによって、光源モジュールを安定化させ、バックライトユニットの信頼性を向上させることができる。
【図面の簡単な説明】
【００３８】
下記の図面を参照して本発明の実施例について詳細に説明する。ただし、図面中、同一のエレメントには同一の参照符号を付する。
【図１】実施例に係るバックライトユニットを示す断面図である。
【図２】図１の導光板の溝に配置されたストッパーを示す図である。
【図３】図１の導光板の溝に配置されたストッパーを示す図である。
【図４Ａ】光源モジュールと導光板に接着されるストッパーを示す図である。
【図４Ｂ】光源モジュールと導光板に接着されるストッパーを示す図である。
【図４Ｃ】光源モジュールと導光板に接着されるストッパーを示す図である。
【図４Ｄ】光源モジュールと導光板に接着されるストッパーを示す図である。
【図５Ａ】導光板の溝の形状を示す図である。
【図５Ｂ】導光板の溝の形状を示す図である。
【図５Ｃ】導光板の溝の形状を示す図である。
【図６Ａ】導光板の溝と光源モジュールとの位置関係を説明するための図である。
【図６Ｂ】導光板の溝と光源モジュールとの位置関係を説明するための図である。
【図７】他の実施例に係るバックライトユニットを示す断面図である。
【図８】導光板の溝に配置されたストッパーを示す図である。
【図９】導光板の溝に配置されたストッパーを示す図である。
【図１０】第１実施例に係る結合部材とストッパー締結部とが結合する様子を示す構造断面図である。
【図１１Ａ】図１０のストッパー締結部を示す下部斜視図である。
【図１１Ｂ】図１０の結合部材を示す下部斜視図である。
【図１１Ｃ】図１０の結合部材とストッパー締結部とが結合する様子を示す下部斜視図である。
【図１２】第２実施例に係る結合部材とストッパー締結部とが結合する様子を示す構造断面図である。
【図１３Ａ】図１２の結合部材を示す下部斜視図である。
【図１３Ｂ】図１３Ａの結合部材を示す構造断面図である。
【図１４】第３実施例に係る結合部材とストッパー締結部とが結合する様子を示す構造断面図である。
【図１５Ａ】図１４の結合部材を示す下部斜視図である。
【図１５Ｂ】図１５Ａの結合部材を示す構造断面図である。
【図１６Ａ】第４実施例に係るストッパー締結部を示す下部斜視図である。
【図１６Ｂ】第４実施例に係る結合部材を示す下部斜視図である。
【図１６Ｃ】第４実施例に係る結合部材とストッパー締結部とが結合する様子を示す下部斜視図である。
【図１７Ａ】第５実施例に係るストッパー締結部を示す下部斜視図である。
【図１７Ｂ】第５実施例に係る結合部材を示す下部斜視図である。
【図１７Ｃ】第５実施例に係る結合部材とストッパー締結部とが結合する様子を示す下部斜視図である。
【図１８】本発明の一実施例に係るストッパー締結部が配置される領域を示す平面図である。
【図１９】本発明の一実施例に係るバックライトユニットを有するディスプレイモジュールを示す図である。
【図２０】本発明の一実施例に係るディスプレイ装置を示す図である。
【図２１】本発明の一実施例に係るディスプレイ装置を示す図である。
【発明を実施するための形態】
【００３９】
以下、本発明の実施例を、添付の図面を参照して説明する。
【００４０】
本発明の実施例の説明において、あるエレメント（ｅｌｅｍｅｎｔ）の「上（上部）」または「下（下部）」（ｏｎ  ｏｒ  ｕｎｄｅｒ）に他のエレメントが形成されるという記載は、これらの両エレメントが相互直接（ｄｉｒｅｃｔｌｙ）接触して形成される場合も、これら両エレメントの間に一つ以上のさらに他のエレメントが介在して（ｉｎｄｉｒｅｃｔｌｙ）形成される場合も含むことができる。
【００４１】
また「上（上部）」または「下（下部）」（ｏｎ  ｏｒ  ｕｎｄｅｒ）と表現される場合、一つのエレメントを基準に上方を指す場合もあり、下方を指す場合もある。
【００４２】
図１は、本発明の一実施例に係るバックライトユニットを示す断面図である。
【００４３】
図１に示すように、バックライトユニットは、導光板（ｌｉｇｈｔ  ｇｕｉｄｅ  ｐｌａｔｅ）２０、リフレクタ（ｒｅｆｌｅｃｔｏｒ）３０、光学部材（ｏｐｔｉｃａｌ  ｍｅｍｂｅｒ）４０、光源モジュール（ｌｉｇｈｔ  ｓｏｕｒｃｅ  ｍｏｄｕｌｅ）５０、ストッパー（ｓｔｏｐｐｅｒ）７０を備えることができる。
【００４４】
そして、バックライトユニットは、トップシャーシ（ｔｏｐ  ｃｈａｓｓｉｓ）６０、ボトムシャーシ（ｂｏｔｔｏｍ  ｃｈａｓｓｉｓ）１０及びパネルガイドモジュール（ｐａｎｅｌ  ｇｕｉｄｅ  ｍｏｄｕｌｅ）８０をさらに備えることができる。
【００４５】
ここで、パネルガイドモジュール８０は、ディスプレイパネル９０を支持することができ、トップシャーシ６０は、パネルガイドモジュール８０及びボトムシャーシ１０に連結されるとよい。
【００４６】
なお、導光板２０は、下部面に少なくとも一つの溝２４が形成され、上部面に光学部材４０が配置されればよい。
【００４７】
ここで、導光板２０の溝２４は、三角形、長方形、台形の断面形状を有することができる。
【００４８】
場合によって、導光板２０の溝２４が断面台形の場合、相対する第１、第２側面のうち、溝の第１側面は、溝の底面に垂直であり、溝の第２側面は溝の底面に対して傾斜するように形成できる。
【００４９】
または、導光板２０の溝２４が断面台形の場合、相対する第１、第２側面は、溝の底面に対して傾斜し、溝の第１側面と底面との傾斜角は、溝の第２側面と底面との傾斜角より小さくてよい。
【００５０】
場合によって、導光板２０の溝２４が断面三角形の場合、相対する第１、第２側面間の角度は、約３０〜１２０°でよい。
【００５１】
そして、導光板２０溝２４の高さと導光板２０全体厚さとの比は、約０．３〜０．７：１でよい。
【００５２】
また、導光板２０は、ＰＭＭＡ（Ｐｏｌｙｍｅｔｈｙｌｍｅｔｈａｃｒｙｌａｔｅ）のようなアクリル樹脂系、ＰＥＴ（ｐｏｌｙｅｔｈｙｌｅｎｅｔｅｒｅｐｈｔｈｌａｔｅ）、ＣＯＣ（Ｃｙｃｌｉｃ  Ｏｌｅｆｉｎ  Ｃｏｐｏｌｙｍｅｒｓ）、ＰＥＮ（ｐｏｌｙｅｔｈｙｌｅｎｅｎａｐｈｔｈａｌａｔｅ）、ＰＣ（Ｐｏｌｙｃａｒｂｏｎａｔｅ）、ＰＳ（Ｐｏｌｙｓｔｙｒｅｎｅ）、及びＭＳ（Ｍａｔｈａｃｙｌａｔｅ  ｓｔｙｒｅｎｅ）樹脂のいずれか一つにすればよい。
【００５３】
なお、光源モジュール５０は、導光板２０の溝２４に配置できる。
【００５４】
ここで、光源モジュール５０は、基板５４と、基板５４上に配置された少なくとも一つの光源５２とを備えることができ、基板５４と光源５２は両方とも光板２０の溝２４の内部に配置することができる。
【００５５】
場合によって、基板５４は、導光板２０の溝２４の外部に配置され、光源５２は導光板２０の溝２４の内部に配置されてもよい。
【００５６】
このような基板５４は、光源５２の電気的連結のための電極パターンが形成されればよく、ポリエチレンテレフタレート（ＰＥＴ）、ガラス、ポリカーボネート（ＰＣ）、シリコン（Ｓｉ）から選ばれるいずれか一物質からなるＰＣＢ（Ｐｒｉｎｔｅｄ  Ｃｉｒｃｕｉｔ  Ｂｏａｒｄ）基板であってもよく、フィルム形態にしてもよい。
【００５７】
また、基板５４は、単層ＰＣＢ、多層ＰＣＢ、セラミック基板、メタルコアＰＣＢなどを選択的に使用すればよい。
【００５８】
そして、光源５２は、基板５４上に少なくとも一つが配置されればよく、光源５２は側面発光型（ｓｉｄｅ  ｖｉｅｗ  ｔｙｐｅ）発光ダイオードでよい。
【００５９】
場合によって、光源５２は、上面発光型（ｔｏｐ  ｖｉｅｗ  ｔｙｐｅ）発光ダイオードであってもよい。
【００６０】
このように、光源５２は、発光ダイオードチップ（ＬＥＤ  ｃｈｉｐ）でよく、発光ダイオードチップは、ブルーＬＥＤチップまたは紫外線ＬＥＤチップで構成してもよく、レッドＬＥＤチップ、グリーンＬＥＤチップ、ブルーＬＥＤチップ、イエローグリーン（Ｙｅｌｌｏｗ  ｇｒｅｅｎ）ＬＥＤチップ、ホワイトＬＥＤチップの少なくとも一つまたは２以上を組み合わせたパッケージ形態にしてもよい。
【００６１】
ここで、ホワイトＬＥＤは、ブルーＬＥＤ上にイエロー燐光（Ｙｅｌｌｏｗ  ｐｈｏｓｐｈｏｒ）を結合する、ブルーＬＥＤ上にレッド燐光（Ｒｅｄ  ｐｈｏｓｐｈｏｒ）とグリーン燐光（Ｇｒｅｅｎ  ｐｈｏｓｐｈｏｒ）を同時に結合する、または、ブルーＬＥＤ上にイエロー燐光、レッド燐光及びグリーン燐光を同時に結合して具現できる。
【００６２】
なお、リフレクタ３０は、導光板２０の下部面に配置できる。
【００６３】
すなわち、リフレクタ３０は、導光板２０とボトムシャーシ１０との間に配置されるもので、導光板２０の下部面から側面まで延在（ｅｘｔｅｎｄ）してもよい。
【００６４】
ここで、リフレクタ３０は、光源モジュール５０の基板５４の下部には形成されていないが、場合によっては、光源モジュール５０の基板５４の下部にも形成できる。
【００６５】
そして、リフレクタ３０は、導光板２０の溝２４の側面及び溝２４の底面の少なくとも一つに形成されてもよい。
【００６６】
ここで、リフレクタ３０は、金属または金属酸化物の少なくとも一つを含むことができ、例えば、アルミニウム（Ａｌ）、銀（Ａｇ）、金（Ａｕ）または二酸化チタン（ＴｉＯ２）のように高い反射率を有する金属または金属酸化物を含んでなることができる。
【００６７】
なお、光学部材４０は、導光板２０の上部面に配置できる。
【００６８】
ここで、光学部材４０は、導光板２０から出射する光を拡散させる役割を担うもので、拡散効果を増大させるために上部表面に凹凸パターンを有することができる。
【００６９】
また、光学部材４０は、複数の層で形成してもよく、凹凸パターンは、最上層またはいずれか一層の表面に形成できる。
【００７０】
そして、凹凸パターンは、光源モジュール５０に沿う縞（ｓｔｒｉｐｅ）形状を有することができる。
【００７１】
ここで、凹凸パターンは、光学部材４０の表面への突出部を有し、突出部は、相対する第１面と第２面とで構成され、第１面と第２面との角は、鈍角または鋭角でよい。
【００７２】
場合によって、光学部材４０は、少なくとも一つのシートからなり、拡散シート、プリズムシート、輝度強化シートなどを選択的に含むことができる。
【００７３】
ここで、拡散シートは、光源から出射する光を拡散させ、プリズムシートは、拡散された光を発光領域に導き、輝度拡散シートは、輝度を強化させる役割を果たす。
【００７４】
そして、ストッパー７０は、光源モジュール５０と導光板２０との間に配置され、光源モジュール５０を固定する役割を担うことができる。
【００７５】
ここで、ストッパー７０は、導光板２０の溝２４内に配置され、溝２４の側面、溝２４の底面及び光源モジュール５０の少なくとも一つに接触してもよい。
【００７６】
そして、ストッパー７０は、導光板２０の溝２４内に配置され、溝２４の側面から第１間隔を有し、溝２４の底面から第２間隔を有し、光源モジュール５０から第３間隔を有してもよい。
【００７７】
この場合、溝２４の側面とストッパー７０との間の間隔は、溝２４の底面とストッパー７０との間の間隔及び光源モジュール５０とストッパー７０との間の間隔よりも大きく、光源モジュール５０とストッパー７０との間の間隔は、溝２４の側面とストッパー７０との間の間隔及び溝２４の底面とストッパー７０との間の間隔よりも小さくてよい。
【００７８】
なお、ストッパー７０は、導光板２０の溝２４の形状によって可変するもので、射出成形可能な高分子樹脂であればよい。
【００７９】
例えば、ストッパー７０は、不飽和ポリエステル、メチルメタクリレート、エチルメタクリレート、イソブチルメタクリレート、ノルマルブチルメタクリレート、アクリル酸、メタクリル酸、ヒドロキシエチルメタクリレート、ヒドロキシプロピルメタクリレート、ヒドロキシエチルアクリレート、アクリルアミド、エチルアクリレート、イソブチルアクリレート、ノルマルブチルアクリレートのうち少なくとも一つからなればよい。
【００８０】
このように、ストッパー７０は、光源モジュール５０が配置される導光板２０の溝２４に配置されて、光源モジュール５０を固定させると同時に、溝２４の表面に形成されたリフレクタ３０を支持する役割を果たすことができる。
【００８１】
図２及び図３は、導光板の溝に配置されたストッパーを示す図で、図２は、導光板の溝に接触しているストッパーを示す断面図であり、図３は、導光板の溝から離隔されたストッパーを示す断面図である。
【００８２】
図２に示すように、ストッパー７０は、導光板２０の溝２４内に配置され、溝２４の側面、溝２４の底面及び光源モジュール５０の少なくとも一方に接触することがある。
【００８３】
ここで、溝２４の側面及び溝２４の底面にリフレクタ３０が配置された場合、ストッパー７０は、リフレクタ３０と接触できる。
【００８４】
そして、ストッパー７０は、光源モジュール５０の光源５２から一定間隔を置いて配置され、光源モジュール５０における基板５４の上面及び側面の一部に接触してもよい。
【００８５】
このように、ストッパー７０は、導光板２０の溝２４に配置されたリフレクタ３０及び光源モジュール５０の両方に接触してもよく、いずれか一方にのみ接触してもよい。
【００８６】
そして、ストッパー７０は、導光板２０の溝２４内にリフレクタ３０がない場合、溝２４の側面、溝２４の底面及び光源モジュール５０に接触してもよく、これらのうち少なくとも一方にのみ接触してもよい。
【００８７】
なお、図３に示すように、ストッパー７０は、導光板２０の溝２４内に配置され、溝２４の側面から第１間隔ｄ１を有し、溝２４の底面から第２間隔ｄ２を有し、光源モジュール５０の基板５４から第３間隔ｄ３を有し、光源モジュール５０の光源５２から第４間隔ｄ４を有することができる。
【００８８】
ここで、第１間隔ｄ１と第２間隔ｄ２は、導光板２０の溝２４内にリフレクタ３０が配置される場合に、リフレクタ３０とストッパー７０との間の間隔を意味する。
【００８９】
ここで、第１間隔ｄ１、第２間隔ｄ２、第３間隔ｄ３、第４間隔ｄ４は、相互同一であってもよく、少なくとも一つは、異なる間隔を有してよい。
【００９０】
例えば、溝２４の側面とストッパー７０との間の第１間隔ｄ１は、溝２４の底面とストッパー７０との間の第２間隔ｄ２より大きくてもよい。
【００９１】
これは、導光板２０が熱膨張する場合、ストッパー７０と相対する溝２４の側面が、ストッパー７０と相対する溝２４の底面に比べて面積が広いため、溝２４の側面が溝２４の底面よりも多く増えることがあるからである。
【００９２】
そして、溝２４の側面とストッパー７０との間の第１間隔ｄ１と溝２４の底面とストッパー７０との間の第２間隔ｄ２は、光源モジュール５０の基板５４とストッパー７０との間の第３間隔ｄ３及び光源モジュール５０の光源５２とストッパー７０との間の第４間隔ｄ４より大きくてもよい。
【００９３】
これは、導光板２０が熱膨張する場合、溝２４の側面及び溝２４の底面が増えることがあるからである。
【００９４】
したがって、第１間隔ｄ１は、第２間隔ｄ２、第３間隔ｄ３、第４間隔ｄ４より大きくてよく、第３間隔ｄ３及び第４間隔ｄ４は、第１間隔ｄ１及び第２間隔ｄ２より小さくてよい。
【００９５】
場合によって、第３間隔ｄ３は、第４間隔ｄ４より小さくてもよい。
【００９６】
これは、光源５２が外部の衝撃に弱いため、可能なかぎりストッパー７０と接触しないように一定間隔を維持する必要があるからである。
【００９７】
また、ストッパー７０は、接着剤により光源モジュール５０及び導光板２０の少なくとも一方に接着されてもよい。
【００９８】
図４Ａないし図４Ｄは、光源モジュールと導光板に接着されるストッパーを示す図である。
【００９９】
図４Ａは、接着剤７５により光源モジュールの基板５４の一部にストッパー７０が接着される実施例で、図４Ａに示すように、ストッパー７０を光源モジュール５０の基板５２の上部表面に接着剤７５により接着できる。
【０１００】
そして、ストッパー７０は、導光板２０の溝２４内に形成されたリフレクタ３０から一定間隔を置いて配置できる。
【０１０１】
また、図４Ｂは、接着剤７５により光源モジュールの基板５４にストッパー７０が接着される実施例で、図４Ｂに示すように、ストッパー７０を光源モジュール５０の基板５２の上部表面から基板側面まで接着剤７５により接着できる。
【０１０２】
そして、ストッパー７０は、導光板２０の溝２４内に形成されたリフレクタ３０から一定間隔を置いて配置できる。
【０１０３】
図４Ｂの実施例は、ストッパー７０が光源モジュール５０の基板５２の上部表面から基板側面まで接着剤７５により接着されるので、ストッパー７０が光源モジュール５０の基板５２の上部表面にのみ接着される図４Ａの実施例に比べて安定的である。
【０１０４】
また、図４Ｃは、接着剤７５により導光板２０の溝２４の底面とストッパー７０が接着される実施例で、図４Ｃに示すように、ストッパー７０を、導光板２０の溝２４の底面、または導光板２０の溝２４の底面に形成されたリフレクタ３０に、接着剤７５により接着できる。
【０１０５】
ここで、ストッパー７０は、導光板２０の溝２４の側面に形成されたリフレクタ３０から一定間隔を置いて配置され、光源モジュールの光源５２及び基板５４から一定間隔を置いて配置されてもよい。
【０１０６】
なお、図４Ｄは、接着剤７５により導光板２０の溝２４の底面にストッパー７０が接着されるとともに、光源モジュールの基板５４にストッパー７０が接着される実施例で、図４Ｄに示すように、ストッパー７０を、導光板２０の溝２４の底面または導光板２０の溝２４の底面に形成されたリフレクタ３０、及び光源モジュール５０の基板５２の上部表面から基板側面まで接着剤７５により接着できる。
【０１０７】
ここで、ストッパー７０は、導光板２０の溝２４の側面に形成されたリフレクタ３０から一定間隔を置いて配置できる。
【０１０８】
このように、ストッパー７０は、同一の接着剤７５により光源モジュールの基板５４に接着され、かつ導光板２０溝２４の底面に接着されてもよいが、それぞれ異なる接着剤７５により光源モジュールの基板５４に接着され、かつ導光板２０溝２４の底面に接着されてもよい。
【０１０９】
すなわち、ストッパー７０は、第１接着剤により光源モジュールの基板５４に接着され、かつ第２接着剤により導光板２０溝２４の底面に接着されてもよい。
【０１１０】
ここで、第１接着剤と第２接着剤は、互いに異なる物質であり、エポキシ樹脂及びシリコン樹脂の少なくとも一つであればよい。
【０１１１】
図５Ａ乃至図５Ｃは、導光板の溝の形状を示す図であり、図５Ａ及び図５Ｂは、導光板の溝が断面台形である断面図であり、図５Ｃは、導光板の溝が断面三角形である断面図である。
【０１１２】
図５Ａ乃至図５Ｃに示すように、導光板２０の溝２４は種々の形状に形成してもよく、例えば、溝２４の断面は、三角形、長方形、台形の形状などを有することができる。
【０１１３】
まず、図５Ａに示すように、導光板２０の溝２４の断面形状を台形にすることができる。
【０１１４】
ここで、導光板２０の溝２４は、相対する第１、第２側面２４ａ、２４ｃを有することができ、溝２４の第１側面２４ａは、溝２４の底面２４ｂに垂直であり、溝２４の第２側面２４ｃは溝２４の底面２４ｂに対して傾斜している。
【０１１５】
ここで、溝２４に配置されるストッパー７０は、溝２４の形状と同様に、傾斜面と垂直面を有することができる。
【０１１６】
また、溝２４に配置される光源５２は、溝２４の底面２４ｂに垂直な溝２４の第１側面２４ａと接触してもよく、一定間隔を置いて配置されてもよい。
【０１１７】
そして、光源５２の光出射面は、溝２４の第１側面２４ａへ光が出射するように、溝２４の第１側面２４ａに向かっている。
【０１１８】
また、図５Ｂに示すように、導光板２０の溝２４の断面形状を台形にしてもよい。
【０１１９】
ここで、導光板２０の溝２４は、相対する第１、第２側面２４ａ、２４ｃを有することができ、溝２４の第１、第２側面２４ａ、２４ｃは、溝２４の底面２４ｂに対して傾斜している。
【０１２０】
この場合、溝２４の第１側面２４ａと底面２４ｂとの傾斜角θ１は、溝２４の第２側面２４ｃと底面２４ｂとの傾斜角θ２より小さければよい。
【０１２１】
ここで、溝２４に配置されるストッパー７０は、溝２４の形状と同様に、一部傾斜面を有することができる。
【０１２２】
また、溝２４に配置されている光源５２は、溝２４の底面２４ｂに対して傾斜した溝２４の第１側面２４ａと部分的に接触してもよく、一定間隔を置いて配置されてもよい。
【０１２３】
そして、光源５２の光出射面は、溝２４の第１側面２４ａへ光が出射するように、溝２４の第１側面２４ａに向かっている。
【０１２４】
また、図５Ｃに示すように、導光板２０の溝２４の断面形状を三角形にしてもよい。
【０１２５】
ここで、導光板２０の溝２４は、相対する第１、第２側面２４ａ、２４ｃを有することができ、溝２４の第１、第２側面２４ａ、２４ｃ間の角度θ１は、約３０〜１２０度でよい。
【０１２６】
この場合、溝２４に配置されるストッパー７０は、溝２４の形状と同様に、一部傾斜面を有することができる。
【０１２７】
また、溝２４に配置される光源５２は、溝２４の第１側面２４ａと部分的に接触してもよく、一定間隔を置いて配置されてもよい。
【０１２８】
そして、光源５２の光出射面は、溝２４の第１側面２４ａへ光が出射するように、溝２４の第１側面２４ａに向かっている。
【０１２９】
図６Ａ及び図６Ｂは、導光板の溝と光源モジュールとの位置関係を説明するための図である。
【０１３０】
図６Ａは、光源モジュールの光源５２が導光板２０に接触したとき、光源モジュールの位置関係を示す図であり、図６Ｂは、光源モジュールの光源５２が導光板２０から離れたとき、光源モジュールの位置関係を示す図である。
【０１３１】
まず、図６Ａに示すように、導光板２０の溝２４の高さＤ１は、導光板２０全体厚さＴ１に対して適宜の高さを有しなければならない。
【０１３２】
これは、導光板２０の溝２４の高さＤ１が大きすぎると、導光板２０が外部衝撃に損傷することがあり、導光板２０の溝２４の高さＤ１が小さすぎると、全体的なバックライトユニットの厚さが増加するからである。
【０１３３】
例えば、導光板２０の溝２４の高さＤ１と導光板２０全体厚さＴ１との比は、約０．３〜０．７：１でよい。
【０１３４】
また、光源５２及び基板５４を含む光源モジュールの高さＨ１と導光板２０の溝２４の高さＤ１との比は、０．５〜０．９：１でよい。
【０１３５】
これは、光源モジュールの高さＨ１が高すぎると、導光板２０の熱膨張により光源５２が損傷することがあり、光源モジュールの高さＨ１が低すぎると、光が損失されて光の輝度が低くなることがあるからである。
【０１３６】
そして、図６Ｂに示すように、光源モジュールの光源５２は、導光板２０の溝２４の第１側面２４ａから第１間隔Ｄ１１で離れて配置され、導光板２０の溝２４の第２側面２４ｃから第２間隔Ｄ１２で離れて配置されてもよい。
【０１３７】
ここで、第２間隔Ｄ１２は、溝２４の底面２４ｂと隣接する第２側面２４ｃの端点から光源５２一側面までの距離である。
【０１３８】
第１間隔Ｄ１１と第２間隔Ｄ１２との比は、１：２−５０でよい。
【０１３９】
これは、導光板２０の熱膨張を考慮して、光源５２の損傷を防止するための空間を確保しなければならないほか、ストッパー７０の配置空間が必要であるからである。
【０１４０】
これらの実施例は、導光板と光源モジュールとの間にストッパーを配置することによって、光源モジュールを安定化させ、バックライトユニットの信頼性を向上させることができる。
【０１４１】
図７は、他の実施例に係るバックライトユニットを示す断面図である。
【０１４２】
図７に示すように、バックライトユニットは、ストッパー締結部２６、導光板２０、リフレクタ３０、光学部材４０、光源モジュール５０、結合部材７２、ストッパー７０を備えることができる。
【０１４３】
そして、バックライトユニットは、トップシャーシ６０、ボトムシャーシ１０及びパネルガイドモジュール８０をさらに備えることができる。
【０１４４】
ここで、パネルガイドモジュール８０は、ディスプレイパネル９０を支持でき、トップシャーシ６０は、パネルガイドモジュール８０及びボトムシャーシ１０に連結されるとよい。
【０１４５】
なお、導光板２０は、下部面に少なくとも一つの溝２４が形成され、上部面に光学部材４０が配置されるとよい。
【０１４６】
ここで、導光板２０の溝２４は、三角形、長方形、台形の断面形状を有することができる。
【０１４７】
場合によって、導光板２０の溝２４が断面台形の場合、相対する第１、第２側面のうち、溝の第１側面は溝の底面に垂直であり、溝の第２側面は溝の底面に対して傾斜してもよい。
【０１４８】
または、導光板２０の溝２４が断面台形の場合、相対する第１、第２側面は、溝の底面に対して傾斜し、溝の第１側面と底面との傾斜角は、溝の第２側面と底面との傾斜角より小さくてもよい。
【０１４９】
場合によって、導光板２０の溝２４が断面三角形の場合、相対する第１、第２側面間の角度は、約３０〜１２０°でよい。
【０１５０】
そして、導光板２０溝２４の高さと導光板２０全体厚さとの比は、約０．３〜０．７：１でよい。
【０１５１】
また、導光板２０は、ＰＭＭＡ（Ｐｏｌｙｍｅｔｈｙｌｍｅｔｈａｃｒｙｌａｔｅ）のようなアクリル樹脂系、ＰＥＴ（ｐｏｌｙｅｔｈｙｌｅｎｅｔｅｒｅｐｈｔｈｌａｔｅ）、ＣＯＣ（Ｃｙｃｌｉｃ  Ｏｌｅｆｉｎ  Ｃｏｐｏｌｙｍｅｒｓ）、ＰＥＮ（ｐｏｌｙｅｔｈｙｌｅｎｅｎａｐｈｔｈａｌａｔｅ）、ＰＣ（Ｐｏｌｙｃａｒｂｏｎａｔｅ）、ＰＳ（Ｐｏｌｙｓｔｙｒｅｎｅ）、及びＭＳ（Ｍａｔｈａｃｙｌａｔｅ  ｓｔｙｒｅｎｅ）樹脂のいずれか一つにすればよい。
【０１５２】
さらに、導光板２０は、下部にストッパー締結部２６が形成されてもよい。
【０１５３】
ここで、ストッパー締結部２６は、導光板２０の溝２４に隣接して導光板２０の下部面に配置されるとよい。
【０１５４】
これは、ストッパー締結部２６を導光板２０の溝２４の近くに配置することによって、溝２４内に配置されたストッパー７０に接触している結合部材７２との結合を容易にするためである。
【０１５５】
また、ストッパー締結部２６は、光源モジュール５０における光源５２同士の間に対応して配置されてもよい。
【０１５６】
これは、光源同士の間では暗部が発生することがあり、暗部の発生する領域にストッパー締結部２６を配置すると、光源で生成された光がストッパー締結部２６により屈折することで、暗部が改善されるからである。
【０１５７】
そのため、導光板２０に接触しているストッパー締結部２６は、導光板２０の下部から突出する突出物（ｐｒｏｊｅｃｔｉｏｎ）または導光板２０の下部に形成される溝（ｈｏｌｌｏｗｎｅｓｓ）であればよい。
【０１５８】
そして、ストッパー締結部２６は、円形、半球形、三角形、長方形、多角形のうち少なくとも一つの平面形状を有することができる。
【０１５９】
また、ストッパー締結部２６は、導光板２０と同じ物質で形成される一体型にしてもよく、異なる物質で形成されてもよい。
【０１６０】
ここで、ストッパー締結部２６は、ＰＭＭＡ（Ｐｏｌｙｍｅｔｈｙｌｍｅｔｈａｃｒｙｌａｔｅ）、ＰＥＴ（ｐｏｌｙｅｔｈｙｌｅｎｅｔｅｒｅｐｈｔｈｌａｔｅ）、ＣＯＣ（Ｃｙｃｌｉｃ  Ｏｌｅｆｉｎ  Ｃｏｐｏｌｙｍｅｒｓ）、ＰＥＮ（ｐｏｌｙｅｔｈｙｌｅｎｅｎａｐｈｔｈａｌａｔｅ）、ＰＣ（Ｐｏｌｙｃａｒｂｏｎａｔｅ）、ＰＳ（Ｐｏｌｙｓｔｙｒｅｎｅ）、及びＭＳ（Ｍａｔｈａｃｙｌａｔｅ  ｓｔｙｒｅｎｅ）樹脂のいずれか一つにすればよい。
【０１６１】
また、光源モジュール５０は、導光板２０の溝２４に配置できる。
【０１６２】
ここで、光源モジュール５０は、基板５４と、基板５４上に配置される少なくとも一つの光源５２を含むことができ、基板５４及び光源５２は両方とも、導光板２０の溝２４内に配置できる。
【０１６３】
場合によって、基板５４は、導光板２０の溝２４の外部に配置され、光源５２は導光板２０の溝２４の内部に配置されてもよい。
【０１６４】
そして、光源５２は、基板５４上に少なくとも一つが配置されればよく、側面発光型の発光ダイオードであればよい。
【０１６５】
場合によって、光源５２は、上面発光型の発光ダイオードであってもよい。
【０１６６】
また、リフレクタ３０は、導光板２０の下部面に配置できる。
【０１６７】
すなわち、リフレクタ３０は、導光板２０とボトムシャーシ１０との間に配置されるもので、導光板２０の下部面から側面まで延びて形成されるとよい。
【０１６８】
ここでは、リフレクタ３０が、光源モジュール５０の基板５４の下部には形成されていないが、場合によっては、光源モジュール５０の基板５４の下部にも形成できる。
【０１６９】
そして、リフレクタ３０は、導光板２０の溝２４の側面及び溝２４の底面の少なくとも一方に形成されるとよい。
【０１７０】
ここで、リフレクタ３０は、金属または金属酸化物の少なくとも一つを含むことができ、例えば、アルミニウム（Ａｌ）、銀（Ａｇ）、金（Ａｕ）または二酸化チタン（ＴｉＯ２）のように高い反射率を有する金属または金属酸化物を含んでなることができる。
【０１７１】
なお、光学部材４０は導光板２０の上部面に配置できる。
【０１７２】
ここで、光学部材４０は、導光板２０から出射する光を拡散させる役割を担うもので、拡散効果を増加させるために上部表面に凹凸パターンを有することができる。
【０１７３】
そして、ストッパー７０は、光源モジュール５０と導光板２０との間に配置され、光源モジュール５０を固定する役割を果たすことができる。
【０１７４】
ここで、ストッパー７０は、導光板２０の溝２４内に配置され、溝２４の側面、溝２４の底面及び光源モジュール５０の少なくとも一つに接触してもよい。
【０１７５】
そして、ストッパー７０は、導光板２０の溝２４内に配置され、溝２４の側面から第１間隔を有し、溝２４の底面から第２間隔を有し、光源モジュール５０から第３間隔を有してもよい。
【０１７６】
この場合、溝２４の側面とストッパー７０との間の間隔は、溝２４の底面とストッパー７０との間の間隔及び光源モジュール５０とストッパー７０との間の間隔よりも大きく、光源モジュール５０とストッパー７０との間の間隔は、溝２４の側面とストッパー７０との間の間隔及び溝２４の底面とストッパー７０との間の間隔よりも小さくてよい。
【０１７７】
なお、ストッパー７０は、導光板２０の溝２４の形状によって可変するもので、射出成形可能な高分子樹脂であればよい。
【０１７８】
例えば、ストッパー７０は、不飽和ポリエステル、メチルメタクリレート、エチルメタクリレート、イソブチルメタクリレート、ノルマルブチルメタクリレート、アクリル酸、メタクリル酸、ヒドロキシエチルメタクリレート、ヒドロキシプロピルメタクリレート、ヒドロキシエチルアクリレート、アクリルアミド、エチルアクリレート、イソブチルアクリレート、ノルマルブチルアクリレートのうち少なくとも一つからなればよい。
【０１７９】
このように、ストッパー７０は、光源モジュール５０が配置される導光板２０の溝２４に配置されて、光源モジュール５０を固定させると同時に、溝２４の表面に形成されたリフレクタ３０を支持する役割を果たすことができる。
【０１８０】
さらに、ストッパー７０に接触している結合部材７２は、ボディー部７２ａ及び結合部７２ｂを有することができる。
【０１８１】
ここで、ボディー部７２ａは、ストッパー７０及び光源モジュール５０の基板５４を支持することができ、結合部７２ｂは、ボディー部７２ａから突出して、導光板２０に接触しているストッパー締結部２６に結合することができる。
【０１８２】
図８及び図９は、導光板の溝に配置されたストッパーを示す図であり、図８は、導光板の溝に接触しているストッパーを示す断面図であり、図９は、導光板の溝から離れたストッパーを示す断面図である。
【０１８３】
図８に示すように、ストッパー７０は、導光板２０の溝２４内に配置され、溝２４の側面、溝２４の底面及び光源モジュール５０の少なくとも一方に接触できる。
【０１８４】
ここで、溝２４の側面及び溝２４の底面にリフレクタ３０が配置された場合、ストッパー７０はリフレクタ３０に接触できる。
【０１８５】
そして、ストッパー７０は、光源モジュール５０の光源５２から一定間隔を置いて配置され、光源モジュール５０の基板５４の上面及び側面に部分的に接触してもよい。
【０１８６】
このように、ストッパー７０は、導光板２０の溝２４に配置されたリフレクタ３０及び光源モジュール５０の両方に接触してもよく、いずれか一方にのみ接触してもよい。
【０１８７】
そして、ストッパー７０は、導光板２０の溝２４内にリフレクタ３０がない場合、溝２４の側面、溝２４の底面及び光源モジュール５０に接触してもよく、これらうち少なくとも一方にのみ接触してもよい。
【０１８８】
なお、ストッパー７０に接触している結合部材７２は、ボディー部７２ａと結合部７２ｂを含むことができる。ボディー部７２ａは、ストッパー７０及び光源モジュール５０の基板５４を支持することができ、結合部７２ｂは、ボディー部７２ａから突出して、導光板２０に接触しているストッパー締結部２６に結合することができる。
【０１８９】
また、図９に示すように、ストッパー７０は、導光板２０の溝２４内に配置され、溝２４の側面から第１間隔ｄ１を有し、溝２４の底面から第２間隔ｄ２を有し、光源モジュール５０の基板５４から第３間隔ｄ３を有し、光源モジュール５０の光源５２から第４間隔ｄ４を有してもよい。
【０１９０】
この場合、第１間隔ｄ１及び第２間隔ｄ２は、導光板２０の溝２４内にリフレクタ３０が配置される場合には、リフレクタ３０とストッパー７０との間の間隔を意味する。
【０１９１】
ここで、第１間隔ｄ１、第２間隔ｄ２、第３間隔ｄ３、第４間隔ｄ４は、相互同一であってもよく、少なくとも一つは、異なる間隔を有してよい。
【０１９２】
例えば、溝２４の側面とストッパー７０との間の第１間隔ｄ１は、溝２４の底面とストッパー７０との間の第２間隔ｄ２より大きくてもよい。
【０１９３】
これは、導光板２０が熱膨張する場合、ストッパー７０と相対する溝２４の側面が、ストッパー７０と相対する溝２４の底面に比べて面積が広いため、溝２４の側面が溝２４の底面よりも多く増えることがあるからである。
【０１９４】
そして、溝２４の側面とストッパー７０との間の第１間隔ｄ１と溝２４の底面とストッパー７０との間の第２間隔ｄ２は、光源モジュール５０の基板５４とストッパー７０との間の第３間隔ｄ３及び光源モジュール５０の光源５２とストッパー７０との間の第４間隔ｄ４より大きくてもよい。
【０１９５】
これは、導光板２０が熱膨張する場合、溝２４の側面及び溝２４の底面が増えることがあるからである。
【０１９６】
したがって、第１間隔ｄ１は、第２間隔ｄ２、第３間隔ｄ３、第４間隔ｄ４より大きくてよく、第３間隔ｄ３及び第４間隔ｄ４は、第１間隔ｄ１及び第２間隔ｄ２より小さくてよい。
【０１９７】
場合によって、第３間隔ｄ３は、第４間隔ｄ４より小さくてもよい。
【０１９８】
これは、光源５２が外部の衝撃に弱いため、可能なかぎりストッパー７０と接触しないように一定間隔を維持する必要があるからである。
【０１９９】
また、ストッパー７０は、接着剤により光源モジュール５０及び導光板２０の少なくとも一方に接着されてもよい。
【０２００】
また、ストッパー７０に接触している結合部材７２は、ボディー部７２ａと結合部７２ｂとを含むことができる。ボディー部７２ａは、ストッパー７０及び光源モジュール５０の基板５４を支持することができ、結合部７２ｂは、ボディー部７２ａから突出して、導光板２０に接触しているストッパー締結部２６に結合することができる。
【０２０１】
図１０は、第１実施例に係るストッパーに接触している結合部材と導光板に接触しているストッパー締結部とが結合する様子を示す構造断面図であり、図１１Ａは、図１０のストッパー締結部を示す下部斜視図であり、図１１Ｂは、図１０の結合部材を示す下部斜視図であり、図１１Ｃは、図１０の結合部材とストッパー締結部とが結合する様子を示す下部斜視図である。
【０２０２】
図１０及び図１１Ａに示すように、導光板２０の下部には、ストッパー７０に接触している結合部材７２と結合するためのストッパー締結部２６を形成できる。
【０２０３】
ストッパー締結部２６は、導光板２０の溝に隣接して配置され、導光板２０の下部面から突出する突出物でよい。
【０２０４】
ここで、ストッパー締結部２６は、長方形の平面形状を有することができ、その他にも、円形、半球形、三角形、多角形などの様々な平面形状を有してもよい。
【０２０５】
そして、ストッパー締結部２６は、導光板２０と同じ物質からなる一体型にしてもよく、導光板２０と異なる物質からなる分離型にしてもよい。
【０２０６】
また、ストッパー締結部２６の厚さｔ１は、ストッパー７０に接触している結合部材７２と同じ厚さにしてもよい。
【０２０７】
また、ストッパー締結部２６の側面と導光板２０の溝の側面とは、ずれないように同一平面上に位置すればよい。
【０２０８】
また、図１０及び図１１Ｂに示すように、ストッパー７０の下部には、結合部材７２が配置され、結合部材７２は、導光板２０に接触しているストッパー締結部２６と結合できる。
【０２０９】
ここで、ストッパー７０に接触している結合部材７２は、ボディー部７２ａ及び結合部７２ｂを有することができる。
【０２１０】
ここで、ボディー部７２ａは、ストッパー７０及び光源モジュール５０の基板５４を支持することができ、結合部７２ｂは、ボディー部７２ａから突出して、導光板２０に接触しているストッパー締結部２６に結合できる。
【０２１１】
ここで、結合部７２ｂは、第１セグメント７２ｂ２及び第２セグメント７２ｂ１を有することができる。
【０２１２】
第１セグメント７２ｂ２は、ボディー部７２ａから第１方向に突出し、第２セグメント７２ｂ１は、第１セグメント７２ｂ２の先端から、第１方向と垂直な第２方向に折り曲げて形成できる。
【０２１３】
ここで、第１セグメント７２ｂ２の厚さは、ボディー部７２ａの厚さｔ２及び第２セグメント７２ｂ１の厚さｔ３と同一でよい。
【０２１４】
そして、第１セグメント７２ｂ２の幅Ｗ１は、第２セグメント７２ｂ１の幅Ｗ２と同一でよいが、場合によっては、互いに異なる幅にしてもよい。
【０２１５】
また、図１０及び図１１Ｃに示すように、結合部材７２の結合部７２ｂは、少なくとも一つであればよく、一個の結合部７２ｂは一個のストッパー締結部２６に一対一対応して結合できる。
【０２１６】
ここで、結合部７２ｂの第１セグメント７２ｂ２は、ストッパー締結部２６の第１側面に接触し、結合部７２ｂのセグメント７２ｂ１は、ストッパー締結部２６の第２側面に接触できる。
【０２１７】
また、図１０に示すように、光源モジュール５０の基板５４の側面５４ａは、導光板２０の側面と接触しても離隔してもよい。
【０２１８】
図１２は、第２実施例に係るストッパーに接触している結合部材と導光板に接触しているストッパー締結部とが結合する様子を示す構造断面図であり、図１３Ａは、図１２の結合部材を示す下部斜視図であり、図１３Ｂは、図１３Ａの結合部材を示す構造断面図である。
【０２１９】
第２実施例で、導光板２０に接触しているストッパー締結部２６は、第１実施例におけるそれと同一なので、詳細な説明は省略する。
【０２２０】
図１２、図１３Ａ及び図１３Ｂに示すように、ストッパー７０の下部には、結合部材７２が配置され、結合部材７２は、導光板２０に接触しているストッパー締結部２６と結合できる。
【０２２１】
ここで、ストッパー７０に接触している結合部材７２は、ボディー部７２ａ及び結合部７２ｂを有することができる。
【０２２２】
ここで、ボディー部７２ａは、ストッパー７０及び光源モジュール５０の基板５４を支持することができ、結合部７２ｂは、ボディー部７２ａから突出して、導光板２０に接触しているストッパー締結部２６に結合できる。
【０２２３】
ここで、結合部７２ｂは、第１セグメント７２ｂ２及び第２セグメント７２ｂ１を有することができる。
【０２２４】
第１セグメント７２ｂ２は、ボディー部７２ａから第１方向に突出し、第２セグメント７２ｂ１は、第１セグメント７２ｂ２の先端から、第１方向と垂直な第２方向に折り曲げて形成できる。
【０２２５】
ここで、第１セグメント７２ｂ２の厚さｔ３１は、ボディー部７２ａの厚さｔ２より厚く、第２セグメント７２ｂ１の厚さｔ３２と同一であればよい。
【０２２６】
そして、結合部材７２の結合部７２ｂは、少なくとも一つであればよく、一個の結合部７２ｂは一個のストッパー締結部２６に一対一対応して結合できる。
【０２２７】
ここで、結合部７２ｂの第１セグメント７２ｂ２は、ストッパー締結部２６の第１側面に接触し、結合部７２ｂのセグメント７２ｂ１は、ストッパー締結部２６の第２側面に接触できる。
【０２２８】
また、図１２に示すように、光源モジュール５０の基板５４の側面５４ａは、導光板２０に接触しているストッパー締結部２６の側面と接触しても離隔してもよい。
【０２２９】
そして、ストッパー締結部２６の厚さｔ１は、ストッパー７０に接触している結合部材７２のボディー部７２ａの厚さｔ２より厚く、結合部材７２の結合部７２ｂの厚さｔ３と同じ厚さにしてもよい。
【０２３０】
図１４は、第３実施例に係るストッパーに接触している結合部材と導光板に接触しているストッパー締結部とが結合する様子を示す構造断面図であり、図１５Ａは、図１４の結合部材を示す下部斜視図であり、図１５Ｂは、図１５Ａの結合部材を示す構造断面図である。
【０２３１】
第３実施例で、導光板２０に接触しているストッパー締結部２６は、第１実施例のそれと同一なので、詳細な説明は省略する。
【０２３２】
図１４、図１５Ａ及び図１５Ｂに示すように、ストッパー７０の下部には、結合部材７２が配置され、結合部材７２は、導光板２０に接触しているストッパー締結部２６と結合できる。
ここで、ストッパー７０に接触している結合部材７２は、ボディー部７２ａ及び結合部７２ｂを有することができる。
【０２３３】
ここで、ボディー部７２ａは、ストッパー７０及び光源モジュール５０の基板５４を支持することができ、結合部７２ｂは、ボディー部７２ａから突出して、導光板２０に接触しているストッパー締結部２６に結合できる。
【０２３４】
ここで、結合部７２ｂは、第１セグメント７２ｂ２及び第２セグメント７２ｂ１を有することができる。
【０２３５】
第１セグメント７２ｂ２は、ボディー部７２ａから第１方向に突出し、第２セグメント７２ｂ１は、第１セグメント７２ｂ２の先端から、第１方向と垂直な第２方向に折り曲げて形成できる。
【０２３６】
ここで、第１セグメント７２ｂ２の厚さｔ３１は、ボディー部７２ａの厚さｔ２より厚く、第２セグメント７２ｂ１の厚さｔ３２より厚くてよい。
【０２３７】
場合によっては、第２セグメント７２ｂ１の厚さｔ３２は、ボディー部７２ａの厚さｔ２と同一であってもよい。
【０２３８】
そして、結合部材７２の結合部７２ｂは、少なくとも一つであればよく、一個の結合部７２ｂは一個のストッパー締結部２６に一対一対応して結合できる。
【０２３９】
ここで、結合部７２ｂの第１セグメント７２ｂ２は、ストッパー締結部２６の第１側面に接触し、結合部７２ｂのセグメント７２ｂ１はストッパー締結部２６の第２側面に接触できる。
【０２４０】
また、図１４に示すように、光源モジュール５０の基板５４の側面５４ａは、導光板２０に接触しているストッパー締結部２６の側面と接触しても離隔してもよい。
【０２４１】
そして、ストッパー締結部２６の厚さｔ１は、ストッパー７０に接触している結合部材７２のボディー部７２ａの厚さｔ２及び結合部７２ｂの厚さｔ３と異なるようにしてもよい。
【０２４２】
図１６Ａは、第４実施例に係る導光板に接触しているストッパー締結部を示す下部斜視図であり、図１６Ｂは、第４実施例に係るストッパーに接触している結合部材を示す下部斜視図であり、図１６Ｃは、第４実施例に係るストッパーに接触している結合部材と導光板に接触しているストッパー締結部とが結合する様子を示す下部斜視図である。
【０２４３】
図１６Ａ乃至図１６Ｃに示すように、ストッパー７０の下部には、結合部材７２が配置され、結合部材７２は、導光板２０に接触しているストッパー締結部２６と結合できる。
【０２４４】
ここで、ストッパー７０に接触している結合部材７２は、ボディー部７２ａ及び結合部７２ｂを含むことができる。
【０２４５】
ここで、ボディー部７２ａは、ストッパー７０及び光源モジュール５０の基板５４を支持することができ、結合部７２ｂは、ボディー部７２ａから突出して、導光板２０に接触しているストッパー締結部２６に結合できる。
【０２４６】
ここで、結合部７２ｂは多数個とし、２つの結合部７２ｂが対として、互いに隣接するストッパー締結部２６同士の間に配置されて結合できる。
【０２４７】
すなわち、第４実施例に係るストッパー７０に接触している結合部材７２は、２つの結合部７２ｂが１対となる、矢印形状を有しており、１対の結合部７２ｂが、導光板２０に接触しているストッパー締結部２６同士の間に挟まれて締結される。
【０２４８】
ここで、導光板２０に接触しているストッパー締結部２６は、一側の角領域を傾斜面とすることで、１対の結合部７２ｂが、導光板２０に接触しているストッパー締結部２６同士の間に容易に締結されるようにしてもよい。
【０２４９】
図１７Ａは、第５実施例に係る導光板に接触しているストッパー締結部を示す下部斜視図であり、図１７Ｂは、図５実施例に係るストッパーに接触している結合部材を示す下部斜視図であり、図１７Ｃは、第５実施例に係るストッパーに接触している結合部材と導光板に接触しているストッパー締結部とが結合する様子を示す下部斜視図である。
【０２５０】
図１７Ａ乃至図１７Ｃに示すように、ストッパー７０の下部には、結合部材７２が配置され、結合部材７２は、導光板２０に接触しているストッパー締結部２６と結合できる。
【０２５１】
ここで、導光板２０に接触しているストッパー締結部２６は、導光板２０の下部に形成され、所定高さｔ５を有する溝（ｈｏｌｌｏｗｎｅｓｓ）２５にしてもよい。
【０２５２】
ここで、溝２５は、円形、半球形、三角形、長方形、多角形のうち少なくとも一つの平面形状を有することができる。
【０２５３】
そして、ストッパー７０に接触している結合部材７２は、ボディー部７２ａ及び結合部７２ｂを有することができる。
【０２５４】
ここで、ボディー部７２ａは、ストッパー７０及び光源モジュール５０の基板５４を支持することができ、結合部７２ｂはボディー部７２ａから突出して、導光板２０に接触しているストッパー締結部２６に結合できる。
【０２５５】
この場合、結合部７２ｂは、第１セグメント７２ｂ２及び第２セグメント７２ｂ１を有することができ、第１セグメント７２ｂ２は、ボディー部７２ａから突出すればよい。
【０２５６】
そして、第２セグメント７２ｂ１は、第１セグメント７２ｂ２の端部から延在し、第１セグメント７２ｂ２に比べて大きい面積を有することができる。
【０２５７】
ここで、第１、第２セグメント７２ｂ２、７２ｂ１の平面形状は、導光板２０のストッパー締結部２６の平面形状と同一であればよい。
【０２５８】
図１８は、本発明の一実施例に係る導光板に接触しているストッパー締結部が配置される領域を示す平面図である。
【０２５９】
図１８に示すように、導光板２０に接触しているストッパー締結部２６は、導光板２０の下部に配置され、導光板２０の溝に配置された光源モジュール５０に隣接して配置される。
【０２６０】
すなわち、ストッパー締結部２６は、導光板２０の溝に配置された光源モジュール５０の基板５４と向かい合うように配置できる。
【０２６１】
そして、ストッパー締結部２６は、光源モジュール５０の光源５２同士の間に対応して配置できる。
【０２６２】
このようにストッパー締結部２６を光源５２同士の間に配置する理由は、隣接する光源５２同士が所定間隔を置いて配置されると、光の広がる現象により光源５２と光源５２との間に暗部２６領域が現れるからである。
【０２６３】
したがって、図１８に示すように、光源５２同士の間における導光板２０の下面にストッパー締結部２６を形成すると、突出形状または溝形状を有するストッパー締結部２６により光が屈折し、よって、光源５２同士の間に現れる暗部領域を減少させることができる。
【０２６４】
このように、本実施例は、導光板と光源モジュールとの間にストッパーを形成し、ストッパーを導光板に安定的に締結することによって、光源モジュールを安定化させ、バックライトユニットの信頼性を向上させることができる。
【０２６５】
図１９は、本発明の一実施例に係るバックライトユニットを有するディスプレイモジュールを示す図である。
【０２６６】
図１９に示すように、ディスプレイモジュール２００は、ディスプレイパネル９０及びバックライトユニット１００を備えることができる。
【０２６７】
ディスプレイパネル９０は、均一なセルギャップを維持するようにして互いに相対して貼り合わされたカラーフィルタ基板９１及びＴＦＴ（Ｔｈｉｎ  Ｆｉｌｍ  Ｔｒａｎｓｉｓｔｏｒ）基板９２を含み、両基板９１，９２の間に液晶層（図示せず）が介在される。
【０２６８】
カラーフィルタ基板９１は、レッド（Ｒ）、グリーン（Ｇ）及びブルー（Ｂ）のサブピクセルからなる複数のピクセルを有し、光が印加されるとレッド、グリーンまたはブルーの色に該当するイメージを具現できる。
【０２６９】
ピクセルは、レッド、グリーン及びブルーのサブピクセルで構成できるが、これに限定されるものではなく、例えば、レッド、グリーン、ブルー及びホワイト（Ｗ）のサブピクセルが一つのピクセルを構成してもよい。
【０２７０】
ＴＦＴ基板９２は、スイッチング素子が形成されたもので、画素電極（図示せず）をスイッチングできる。
【０２７１】
例えば、共通電極（図示せず）及び画素電極は、外部から印加される所定電圧によって液晶層における分子の配列を変化させることができる。
【０２７２】
液晶層は、複数の液晶分子からなり、液晶分子は、画素電極と共通電極との間に発生する電圧差に応じてその配列が変化する。
【０２７３】
これにより、バックライトユニット１００から提供される光は、液晶層の分子配列の変化に応じてカラーフィルタ基板９１へ入射することが可能である。
【０２７４】
そして、ディスプレイパネル９０の上側及び下側にはそれぞれ、上部偏光板９３及び下部偏光板９４を配置でき、より詳細には、カラーフィルタ基板９１の上面に上部偏光板９３を配置し、ＴＦＴ基板９２の下面に下部偏光板９４を配置できる。
【０２７５】
図示してはいないが、ディスプレイパネル９０の側面には、ディスプレイパネル９０を駆動させるための駆動信号を生成するゲート及びデータ駆動部を設けることができる。
【０２７６】
図１９に示すように、ディスプレイモジュール２００は、ディスプレイパネル９０にバックライトユニット１００を密着して配置してなることができる。
【０２７７】
例えば、バックライトユニット１００は、ディスプレイパネル９０の下側面、具体的には、下部偏光板９４に接着して固定すればよく、そのために、下部偏光板９４とバックライトユニット１００との間に接着層（図示せず）が形成されるとよい。
【０２７８】
このようにバックライトユニット１００をディスプレイパネル９０に密着して形成することによって、ディスプレイ装置の全体厚さを減少させて外観を改善できるとともに、バックライトユニット１００を固定するための別途の構造物が省かれ、ディスプレイ装置の構造及び製造工程を単純化できる。
【０２７９】
また、バックライトユニット１００とディスプレイパネル９０との間の空間を除去することによって、空間への異物の侵入によるディスプレイ装置の誤動作またはディスプレイ映像の画質低下を防止することができる。
【０２８０】
図２０及び図２１は、本発明の一実施例に係るディスプレイ装置を示す図である。
【０２８１】
まず、図２０に示すように、ディスプレイ装置１は、ディスプレイモジュール２００、ディスプレイモジュール２００を覆うフロントカバー３００及びバックカバー３５０、及びバックカバー３５０に設けられた駆動部５５０、及び駆動部５５０を覆う駆動部カバー４００で構成することができる。
【０２８２】
フロントカバー３００は、光を透過させる透明な材質の前面パネル（図示せず）を備えることができ、前面パネルは、一定の間隔を置いてディスプレイモジュール２００を保護するとともに、ディスプレイモジュール２００から放出される光を透過させて、ディスプレイモジュール２００で表示される映像を外部から見られるようにする。
【０２８３】
また、フロントカバー３００は、窓３００ａのない平板にしてもよい。
【０２８４】
この場合、フロントカバー３００は、光を透過させる透明な材質、例えば、射出成形したプラスチックで形成できる。
【０２８５】
このように、フロントカバー３００を平板にすると、フロントカバー３００においてフレームを省くことができる。
【０２８６】
バックカバー３５０は、フロントカバー３００と結合してディスプレイモジュール２００を保護することができる。
【０２８７】
バックカバー３５０の一面には、駆動部５５０を配置できる。
【０２８８】
駆動部５５０は、駆動制御部５５０ａ、メインボード５５０ｂ及び電源供給部５５０ｃを備えることができる。
【０２８９】
駆動制御部５５０ａは、タイミングコントローラ（ｔｉｍｉｎｇ  ｃｏｎｔｒｏｌｌｅｒ）であればよく、ディスプレイモジュール２００の各ドライバＩＣの動作タイミングを調節する駆動部であり、メインボード５５０ｂは、タイミングコントローラにＶシンク、Ｈシンク及びＲ、Ｇ、Ｂ解像度信号を伝達する駆動部であり、電源供給部５５０ｃは、ディスプレイモジュール２００に電源を印加する駆動部であればよい。
【０２９０】
駆動部５５０は、バックカバー３５０に設けられ、駆動部カバー４００により覆われているとよい。
【０２９１】
バックカバー３５０は、複数の孔が形成されてディスプレイモジュール２００と駆動部５５０とを連結することができ、ディスプレイ装置１を支持するスタンド６００を備えることができる。
【０２９２】
また、図２１に示すように、駆動部５５０の駆動制御部５５０ａは、バックカバー３５０に設けられ、メインボード５５０ｂ及び電源ボード５５０ｃはスタンド６００に設けられてもよい。
【０２９３】
この場合、駆動部カバー４００は、バックカバー３５０に設けられた駆動部５５０のみを覆えばよい。
【０２９４】
本実施例では、メインボード５５０ｂ及び電源ボード５５０ｃを別々に構成したが、一体の統合ボードにしてもよく、これに限定されない。
【０２９５】
さらに他の実施例は、上記の各実施例に記載されたストッパー、ストッパー締結部、溝を有する導光板、及び光源モジュールを含む表示装置、指示装置、照明システムとすることができ、例えば、照明システムはランプ、街灯を含むことができる。
【０２９６】
このような照明システムは、複数のＬＥＤを集束して光を得る照明灯に用いることができ、特に、建物の天井や壁体内に埋め込まれ、シェードの開口部側が露出されるように装着できる埋め込み灯（ダウンライト）に用いることができる。
【０２９７】
以上、本実施例によれば、導光板と光源モジュールとの間にストッパーを形成し、ストッパーを導光板に締結することによって、光源モジュールを安定化させ、バックライトユニットの信頼性を向上させることができる。
【０２９８】
以上では本発明の実施例を中心に説明してきたが、それらは単なる例示で、本発明を限定するためのものではない。したがって、本発明の属する分野における通常の知識を有する者には、本発明の実施例の本質的な特性を逸脱しない範囲で、以上に例示していない種々の変形及び応用が可能であるということが理解されるであろう。例えば、本発明の実施例に具体的に示した各構成要素を変形して実施することができる。なお、それらの変形及び応用も、添付の特許請求の範囲で規定する本発明の技術的範囲に含まれるものとして解釈すべきである。
【図１】
0006029837.tif 000002
【図２】
0006029837.tif 000003
【図３】
0006029837.tif 000004
【図４Ａ】
0006029837.tif 000005
【図４Ｂ】
0006029837.tif 000006
【図４Ｃ】
0006029837.tif 000007
【図４Ｄ】
0006029837.tif 000008
【図５Ａ】
0006029837.tif 000009
【図５Ｂ】
0006029837.tif 000010
【図５Ｃ】
0006029837.tif 000011
【図６Ａ】
0006029837.tif 000012
【図６Ｂ】
0006029837.tif 000013
【図７】
0006029837.tif 000014
【図８】
0006029837.tif 000015
【図９】
0006029837.tif 000016
【図１０】
0006029837.tif 000017
【図１１Ａ】
0006029837.tif 000018
【図１１Ｂ】
0006029837.tif 000019
【図１１Ｃ】
0006029837.tif 000020
【図１２】
0006029837.tif 000021
【図１３Ａ】
0006029837.tif 000022
【図１３Ｂ】
0006029837.tif 000023
【図１４】
0006029837.tif 000024
【図１５Ａ】
0006029837.tif 000025
【図１５Ｂ】
0006029837.tif 000026
【図１６Ａ】
0006029837.tif 000027
【図１６Ｂ】
0006029837.tif 000028
【図１６Ｃ】
0006029837.tif 000029
【図１７Ａ】
0006029837.tif 000030
【図１７Ｂ】
0006029837.tif 000031
【図１７Ｃ】
0006029837.tif 000032
【図１８】
0006029837.tif 000033
【図１９】
0006029837.tif 000034
【図２０】
0006029837.tif 000035
【図２１】
0006029837.tif 000036